(57)【要約】  【課題】  カバーテープを剥離する際の支点を形成するスリットをカバーテープが通過するときに、新しい部品収納テープと古い部品収納テープとを連結テープで連結しても問題なく通過できるようにすること。  【解決手段】  新たな収納テープＣと古い収納テープＣとを半円状の送り孔Ｃｄ同士で円形状の送り孔Ｃｄとなるように、両収納テープＣの切断側端面を合致させる。この場合、新しい収納テープＣの長いカバーテープＣａが古い収納テープＣのカバーテープＣａを上から覆う状態にして、２条の連結テープ９０、９１で両収納テープＣを連結する。連結テープ９１の中間部には、カバーテープＣａの剥離の際の支点となるシャッター７０のスリット７２の間隔を狭めるように形成された突部７３の出っ張りをカバーテープＣａの剥離時に吸収する溝９２を形成する。  【選択図】  図９
2006206058.tif 000002
【特許請求の範囲】
【請求項１】
新たな部品収納テープのキャリアテープと古い部品収納テープのキャリアテープとを前記新しい部品収納テープのカバーテープと古い部品収納テープのカバーテープとを重ねる状態にして連結テープで両部品収納テープを連結する部品収納テープにおいて、電子部品を収納する部品収納部の上面開口を覆う前記カバーテープが下方から上方へ通過してこのカバーテープを剥離する際の支点を形成するスリットが開設された部品供給装置の支点形成部材に前記スリットの間隔を狭めるように形成された突部の出っ張りを前記カバーテープの剥離時に吸収する溝を前記連結テープに開設したことを特徴とする部品収納テープ。
【請求項２】
前記新しい部品収納テープの長いカバーテープと古い部品収納テープのカバーテープとの重ね部分の長さより前記溝の長さを長くしたことを特徴とする請求項１に記載の部品収納テープ。
【発明の詳細な説明】
【技術分野】
【０００１】
本発明は、新たな部品収納テープのキャリアテープと古い部品収納テープのキャリアテープとを前記新しい部品収納テープの長いカバーテープが古い部品収納テープのカバーテープを上から覆う状態にして連結テープで両部品収納テープを連結する部品収納テープに関する。
【背景技術】
【０００２】
電子部品をキャリアテープの各部品収納部に収納して、この部品収納部の上面開口を覆うカバーテープを備えた部品収納テープは、広く知られており、所謂部品切れが近い古い部品収納テープと新しい部品収納テープとを連結する技術も知られている（例えば、特許文献１参照）。
【特許文献１】特開２００４−１６１３５５号公報
【発明の開示】
【発明が解決しようとする課題】
【０００３】
しかしながら、前記カバーテープが下方から上方へ通過してこのカバーテープを剥離する際の支点を形成するスリットが開設された支点形成部材に前記スリットの間隔を狭めるように突部が形成されているが、この突部のために新しい部品収納テープと古い部品収納テープとを連結する連結テープの厚みも加わってカバーテープがスリットを通過しにくくなるという問題があった。
【０００４】
そこで本発明は、カバーテープを剥離する際の支点を形成するスリットをカバーテープが通過するときに、新しい部品収納テープと古い部品収納テープとを連結テープで連結しても問題なく通過できるようにすることを目的とする。
【課題を解決するための手段】
【０００５】
このため第１の発明は、新たな部品収納テープのキャリアテープと古い部品収納テープのキャリアテープとを前記新しい部品収納テープのカバーテープと古い部品収納テープのカバーテープとを重ねる状態にして連結テープで両部品収納テープを連結する部品収納テープにおいて、電子部品を収納する部品収納部の上面開口を覆う前記カバーテープが下方から上方へ通過してこのカバーテープを剥離する際の支点を形成するスリットが開設された部品供給装置の支点形成部材に前記スリットの間隔を狭めるように形成された突部の出っ張りを前記カバーテープの剥離時に吸収する溝を前記連結テープに開設したことを特徴とする。
【０００６】
第２の発明は、第１の発明において、前記新しい部品収納テープの長いカバーテープと古い部品収納テープのカバーテープとの重ね部分の長さより前記溝の長さを長くしたことを特徴とする。
【発明の効果】
【０００７】
本発明は、カバーテープを剥離する際の支点を形成するスリットをカバーテープが通過するときに、新しい部品収納テープと古い部品収納テープとを連結テープで連結しても問題なく通過できる。
【発明を実施するための最良の形態】
【０００８】
以下、本発明部品収納テープが適用される部品供給装置の一実施形態を図面に基づいて説明する。先ず、図１は電子部品装着装置を示し、この部品装着装置は、チップ状電子部品（以下、適宜「チップ部品」と略す。）４が装着されるプリント基板５が載置されるＸＹテーブル１を有し、このＸＹテーブル１は、Ｘ軸モータ２及びＹ軸モータ３の回動によりＸＹ方向に移動するように構成されている。またこの部品装着装置は、チップ部品４を供給する部品供給装置７が多数台配設された供給台６を備えている。この供給台６には図示しないナットが固定されており、このナットにはボールネジ９が嵌合されている。そして供給台駆動モータ８の駆動によってボールネジ９が回動すると、この供給台６はボールネジ９が嵌合したナットを介してリニアガイド１１に案内されてＸ方向に移動するように構成されている。
【０００９】
更に、この部品装着装置はロータリテーブル１２を有し、このロータリテーブル１２は図示しない駆動モータの駆動により図示しないカムが回動することによって時計方向に間欠回転するように構成されている。そして、このロータリテーブル１２の下面側の外縁部には装着ヘッド１４が間欠ピッチに合わせて等間隔に８個配設されており、各装着ヘッド１４にはチップ部品４を吸着する吸着ノズル１３が４本備えられている。
【００１０】
前記装着ヘッド１４は、ロータリテーブル１２中を貫通して上下動可能に設けられた図示しないヘッド昇降シャフトの下部に取り付けられ、図示しない上下動駆動源によって図示しないヘッド昇降シャフトが上下動することによって上下動するように構成されている。そして、装着ヘッド１４に備えられた吸着ノズル１３は、部品供給装置７から部品取出位置（吸着位置）に供給されたチップ部品４を吸着して取り出すように構成されている。
【００１１】
この吸着ノズル１３がチップ部品４を吸着するために装着ヘッド１４が停止する停止位置が吸着ステーションであり、この吸着ステーションにおいて吸着ノズル１３がチップ部品４を吸着する。そして装着ヘッド１４が次の次に停止する位置が認識ステーションであり、この認識ステーションにおいて部品認識カメラ１５が吸着ノズル１３に吸着されているチップ部品４を撮像し、この撮像した画像に基づき認識処理装置により吸着ノズル１３に対するチップ部品４の位置ずれを認識する。
【００１２】
この認識ステーションの次に装着ヘッド１４が停止する位置は角度補正ステーションであり、この角度補正ステーションにおいて認識処理装置によって認識処理された認識結果に基づいて、ノズル回動ローラ１６が吸着ノズル１３をθ方向に回動してチップ部品４の回転角度の位置ずれを補正するように構成されている。
【００１３】
この角度補正ステーションの次に装着ヘッド１４が停止する停止位置が装着ステーションであり、この装着ステーションにおいて停止した吸着ノズル１３に吸着されているチップ部品４を前記ＸＹテーブル１に載置されたプリント基板５に装着するように構成されている。
【００１４】
前記供給台６の移動によってチップ部品４が吸着される位置に停止している部品供給装置７の上方に設けられた後述するテープ送り昇降レバー３２が昇降することによって部品供給装置７の部品供給動作である部品送り動作を行わせるように構成されている。
【００１５】
この部品供給装置７は供給台６の上面に着脱可能に取り付けられている。この取り付けは、以下のように行うことができるように構成されている。先ず、作業者が図２に示す保持部２５と揺動レバー２６とを握って軸２７を支点に揺動レバー２６をバネ２８の付勢力に抗して時計方向に揺動させる。そして、揺動レバー２６先端の係合部２９を時計方向に回動させた状態で、部品供給装置７の下部の前後に設けられた取り付けピン２４を前記供給台６に開設された取り付け孔(図示せず)に挿入させる。このように取り付けピン２４を取り付け孔に挿入させてから揺動レバー２６の揺動をバネ２８の付勢力を利用して元に戻して係合部２９を供給台６上に突設させた被係合部(図示せず)に係合させることで、部品供給装置７を供給台６に取り付けることができる。
【００１６】
前記部品供給装置７は、チップ部品４を等間隔に収納する収納テープＣを巻回したテープリール(図示せず)と、該テープリールから収納テープＣを繰り出すテープ送出装置３０と、収納テープＣを構成するキャリアテープＣｃからカバーテープＣａを巻き取るカバーテープ巻取装置３１とから構成される。そして、前記収納テープＣは、等間隔ピッチで形成された部品収納凹部Ｃｂ内にチップ部品４を収納すると共に等間隔ピッチでテープ送り孔Ｃｄが形成されたキャリアテープＣｃと、部品収納凹部Ｃｂの上面開口を覆うカバーテープＣａとから構成される。
【００１７】
そして、３２は前記テープ送出装置３０の駆動レバー３３を上下動させるために上下動するテープ送り昇降レバーであり、前記ロータリテーブル１２と同期して駆動して該テープ送り昇降レバー３２を上下動させ前記テープリール内に巻回された収納テープＣを間欠送りし、該収納テープＣの部品収納凹部Ｃｂ内に収納されたチップ部品４を前記吸着ノズル１３の部品取出位置（吸着位置）に供給させる。そして、カバーテープＣａをこの吸着位置の直前で剥離してチップ部品４を下降してくる吸着ノズル１３に吸着させ取り出させる構成である。
【００１８】
前記テープ送出装置３０は、キャリアテープＣｃを繰り出すために支軸４１を支点として回転可能で前記キャリアテープＣｃのテープ送り孔Ｃｄに嵌合するテープ送り歯４０Ａが周部に形成されると共に前記支軸４１を中心に形成された円形状の凹部の外周側面（段差面）に内歯(図示せず)が形成されたスプロケット４０と、前記支軸４１を支点として回転可能で送り爪(図示せず)を介して前記スプロケット４０を回転させる揺動体４２と、この揺動体４２の当接部４２Ａと係止して回転角度位置を規制するストッパ４３と、前記揺動体４２を駆動する揺動体駆動機構４５とを備えている。
【００１９】
なお、前記テープ送出装置３０は、一方向クラッチ式トルクリミッタが組み込まれており、前記スプロケット４０は収納テープＣの送り方向のみ回転可能となっている。また、前記送り爪（図示せず）は前記揺動体４２に支軸（図示せず）に回動自在に取り付けられるも、常時バネにより付勢されて前記スプロケット４０の前記内歯に押し付けられている。
【００２０】
前記揺動体駆動機構４５について説明すると、該駆動機構４５はテープ送り昇降レバー３２及び後述するバネ５７を駆動源として前記揺動体４２を駆動するものであり、一端部が揺動体４２にピン５０を介して回動自在に連結されたリンクレバー５１と、一端が該リンクレバー５１の他端部にピン５２を介して回動可能に連結され中央部が支軸５３に回動自在に支持されると共に他端部にシャッター開閉ピン５６を有する伝達レバー５５と、一端が該伝達レバー５５にピン５４を介して連結される駆動レバー３３とから構成されている。そして、前記伝達レバー５５はバネ５７により図２における時計方向に付勢されている。
【００２１】
６０は概ね断面形状がコ字形状のサプレッサで、収納テープＣやカバーテープＣａ剥離後のキャリアテープＣｃをテープ送出装置本体７Ａに常時押圧してこれらがテープ送出装置本体７Ａから外れないように、特にスプロケット４０のテープ送り歯４０ＡからキャリアテープＣｃのテープ送り孔Ｃｄが抜けて外れないように作用する。
【００２２】
このサプレッサ６０は後部のピン６１を介してテープ送出装置本体７Ａに回動可能に設けられると共に、一方の側面６０Ｂの前端部に設けられた係止ピン６２がテープ送出装置本体７Ａのロック装置６３（第１ロック装置）のロック爪６４に係止して、前述の作用を確実なものとしている。前記ロック装置６３は、一端がテープ送出装置本体７Ａの前端下部に固定された板バネ製の支持片６５と、コイルバネがピン６６に介挿されて開く方向に付勢されるもその回動範囲が規制されるように前記ピン６６を介して前記支持片６５に連結されたロック爪６４とから構成される。
【００２３】
また、前記サプレッサ６０の後端部には係止部材６８が例えば一体に設けられ、前記係止ピン６２とロック爪６４との係止を解除して、サプレッサ６０をピン６１を支点として回動させた場合にロック部材６９の係止部６９Ａに前記係止部材６８が係止可能である。前記ロック部材６９は、板バネ製で図２において反時計方向の渦巻き状に形成されており、中央部がテープ送出装置本体７Ａ上部に設けられた取付板６７に固定されていて、外端部は逆に時計方向に巻き返されて係止部６９Ａが形成される。なお、前記係止部材６８はサプレッサ６０に一体に設けたが、前記サプレッサ６０と別体に別部材で形成してもよい。
【００２４】
また、前記サプレッサ６０の上面中間部には開口が形成され、この開口を覆うようにシャッター７０が該サプレッサ６０の長手方向に移動可能に設けられる。即ち、サプレッサ６０上には２本のガイドピン６０Ａが立設され、シャッター７０上面に開口された細長孔形状のガイド溝７０Ｃに前記ガイドピン６０Ａが嵌合した状態でこのガイドピン６０Ａ頭部にガイド板７０Ｄが固定されており、サプレッサ６０上のガイドピン６０Ａにガイド溝７０Ｃが案内されながらシャッター７０が該サプレッサ６０の長手方向に移動可能となる。
【００２５】
従って、前記駆動レバー３３が下降すると、シャッター開閉ピン５６がシャッター７０の側片７０Ａの係合溝７０Ｂに嵌合しているので、伝達レバー５５が支軸５３を支点として図２における反時計方向に揺動することによりシャッター７０は後方へ移動する。この移動により部品取出口７１が形成されることとなり、キャリアテープＣｃの部品収納凹部Ｃｂ内の先頭のチップ部品４を吸着ノズル１３が吸着して取り出すことができる。
【００２６】
更に、前記シャッター７０にはカバーテープＣａの剥離の際の支点となるスリット７２が形成されており、剥離されたカバーテープＣａはシャッター７０の下方からスリット７２を介して上方へ通過して、折り返されて案内ローラ７５、７６、７７を介してカバーテープ巻取装置３１により巻き取られる。このカバーテープ巻取装置３１は、前記取付板６７に着脱可能に取り付けられて前記カバーテープＣａを巻き取る巻取リール７８と、支軸８１を支点として回動可能で一端がピン７９を介して前記駆動レバー３３に回動可能に連結すると共に他端の当接部８５がストッパ８６に当接して回動が規制される揺動レバー８０と、該揺動レバー８０の掛止部８２と係止ピン８７との間に引張りバネ８３が張架されたラチェットレバー８４と、巻取リール７８に一体に形成されたラチェット歯車（図示せず）に噛み合うものでラチェットレバー８４に枢支されたラチェット爪（図示せず）などから構成される。
【００２７】
従って、揺動レバー８０が図２において時計方向へ回動すると、引張りバネ８３を介してラチェットレバー８４を時計方向に揺動させ、ラチェット爪がラチェット歯車に噛み合っており、巻取リール７８を所定角度分時計方向に回動させ、キャリアテープＣｃの上面に貼られたカバーテープＣａは、収納テープＣを押さえているサプレッサ６０のスリット７２を介してキャリアテープＣｃより剥がされ前記巻取リール７８に巻き取られることになる。
【００２８】
前記案内ローラ７５は支軸７５Ａの回りに回転可能であり、この支軸７５Ａの基端部には上限ストッパ７５Ｂが固定されており（図８参照）、前記係止ピン６２とロック爪６４との係止を解除して、サプレッサ６０をピン６１を支点として回動させた場合に係止部６９Ａに係止部材６８が係止するが、それ以上のサプレッサ６０の回動を前記上限ストッパ７５Ｂが制限する。
【００２９】
なお、前記シャッター７０の支点形成部材である前記スリット７２の間隔を狭めるように、このスリット７２の開口を形成する送り前方の開口縁部の開口長手方向の中間位置に突部７３が形成される。この突部７３は、カバーテープＣａの剥離の際や剥離後にチップ部品４が立ち上がろうとするのを邪魔をして、スリット７２の開口縁部にチップ部品４が引っ掛かるのを防止する。
【００３０】
以上の構成により、以下動作について説明する。先ず、待機状態のテープ送出装置３０は図２及び図３に示されており、この状態で図５に示すように、前記ロータリテーブル１２と同期して駆動してテープ送り昇降レバー３２が下降すると、駆動レバー３３も下降し、伝達レバー５５がバネ５７の付勢力に抗して支軸５３を支点として反時計方向に回動し、リンクレバー５１を右方（前方）に移動させ、揺動体４２を支軸４１を支点としてテープ送り方向とは反対の反時計方向に回動させる。すると、この揺動体４２の回動により、スプロケット４０の内歯の１山分だけ送り爪が乗り越えることとなる。
【００３１】
このとき、伝達レバー５５の反時計方向の回動により、シャッター開閉ピン５６がシャッター７０の側片７０Ａの係合溝７０Ｂに嵌合しているので、シャッター７０が後方へ移動する。この移動により部品取出口７１が開き、キャリアテープＣｃの部品収納凹部Ｃｂ内の先頭のチップ部品４を吸着ノズル１３が吸着して取出すことができる（図６参照）。
【００３２】
また、前述した如くテープ送り昇降レバー３２が下降すると、揺動レバー８０が図５において時計方向へ回動し、引張りバネ８３を介してラチェットレバー８４を時計方向に揺動させ、ラチェット爪がラチェット歯車に噛み合っているので、巻取リール７８を所定角度分時計方向に回動させ、キャリアテープＣｃの上面に貼られたカバーテープＣａは、収納テープＣを押さえているサプレッサ６０のスリット７２を介してキャリアテープＣｃより剥がされながら、前記巻取リール７８に巻き取られる。
【００３３】
そして、テープ送り昇降レバー３２が上昇すると、駆動レバー３３もバネ５７の付勢力により上昇し、伝達レバー５５が支軸５３を支点として時計方向に回動し、リンクレバー５１を左方（後方）に移動させ、揺動体４２を支軸４１を支点として時計方向に回動させる。すると、この揺動体４２の時計方向への回動により、スプロケット４０の内歯（正確には歯を形成する溝）に噛み合っている送り爪がこのスプロケット４０をキャリアテープ送り方向（時計方向）に回動させる。
【００３４】
従って、前記キャリアテープＣｃのテープ送り孔にテープ送り歯４０Ａが嵌合しているので、キャリアテープＣｃを１ピッチ分送ることとなる。このとき、伝達レバー５５の時計方向の回動により、シャッター開閉ピン５６がシャッター７０の側片７０Ａの係合溝７０Ｂに嵌合しているので、シャッター７０が前方へ移動し、部品取出口７１が閉じられる（図４参照）。
【００３５】
以上のように、カバーテープＣａの剥離動作やキャリアテープＣｃの送り動作が行なわれ、順次吸着ノズル１３によりチップ部品４がキャリアテープＣｃから取り出されて、プリント基板５上に装着されることとなる。
【００３６】
このようにして、順次収納テープＣよりチップ部品４が前記吸着ノズル１３により取り出され、プリント基板５上に装着され、収納テープＣ内のチップ部品４が少なくなり、古い収納テープＣに新しい収納テープＣを連結して部品供給装置７に装填する動作について説明する。図９及び図１０の右方の新しい収納テープＣを収納した収納テープリールからこの収納テープＣをある程度の長さ分を繰り出して、図９及び図１０の左方の古い収納テープＣに連結（スプライシング）した後、電子部品装着装置本体に着脱自在に取り付けられるカート（図示せず）に当該新しい収納テープＣの収納テープリールを載置する。
【００３７】
この場合、収納テープリールに巻かれた新たな収納テープＣの始端部において、キャリアテープＣｃよりもカバーテープＣａが長くなるように且つ送り孔Ｃｄが半円となるように切断装置により切断する。また、このように切断された新たな収納テープＣと部品供給ユニット１に既に装填されているその端部が収納テープＣとカバーテープＣａとが同じ面位置で送り孔Ｃｄが半円となる位置で切断されている古い収納テープＣとの連結について説明する。なお、送り孔Ｃｄが半円となる位置で送り方向と直交する方向に切断すると、部品収納凹部Ｃｂはその中間位置で切断されることとなる。
【００３８】
先ず、新たな収納テープＣと古い収納テープＣとを半円状の送り孔Ｃｄ同士で円形状の送り孔Ｃｄとなるように、両収納テープＣの切断側端面を合致させる。この場合、新しい収納テープＣの長いカバーテープＣａが古い収納テープＣのカバーテープＣａを上から覆う状態にして（図９及び図１０参照）、２条の連結テープ９０、９１で両収納テープＣを連結する。このうち、一方の連結テープ９１は両収納テープＣのカバーテープＣａ上に接着して、他方の連結テープ９０は送り孔Ｃｄを半分覆うように両キャリアテープＣｃを挟むように接着して連結する。
【００３９】
この場合、両収納テープＣの切断側端面を合致させた際に形成される部品収納凹部Ｃｂ内にはチップ部品４を収納せずに、この形成された部品収納凹部Ｃｂを中心として新しい収納テープＣ及び古い収納テープＣに均等に跨るように連結テープ９０、９１で連結するが、この連結テープ９０、９１の各端部は前述の形成された部品収納凹部Ｃｂからそれぞれ２つ目の部品収納凹部Ｃｂの中間位置となる。
【００４０】
そして、前記連結テープ９１には、前後両端部９１Ａ、９１Ｂを残し、その中間部には、前記シャッター７０のスリット７２の間隔を狭めるように形成された突部７３の出っ張りをカバーテープＣａの剥離時に吸収する溝９２を形成する。この溝９２の送り方向の各開口端部は前述の形成された部品収納凹部Ｃｂからそれぞれ１つ目の部品収納凹部Ｃｂの中間位置まで延び、送り方向と直交する方向の各開口端部は部品収納凹部Ｃｂの開口端部より短く開設されてカバーテープＣａの剥離時に突部７３の出っ張りを吸収する。
【００４１】
即ち、前記スリット７２の開口幅は新しい収納テープＣのカバーテープＣａと古い収納テープＣのカバーテープＣａと連結テープ９１の厚さの合計より少し大きく形成され、突部７３が形成された部分の開口幅は前記溝９２が形成されてあるので新しい収納テープＣのカバーテープＣａと古い収納テープＣのカバーテープＣａの厚さの合計より少し大きく形成される。そして、前記新しい収納テープＣの長いカバーテープＣａが古い部品収納テープＣのカバーテープＣａを上から覆う重ね部分の長さより前記溝９２の長さを長くする。そして、前記連結テープ９１の中間部に溝９２を形成して前後両端部９１Ａ、９１Ｂを残したのは、スプライシング（連結）の強度を向上するためである。
【００４２】
なお、このように部分的に開口幅を狭くする突部７３を形成しないでスリット７２の全体にわたり開口幅を狭くした場合には、両収納テープＣの連結部分のスリット７２の通過時にカバーテープＣａがこすれて、紙ケバなどが発生して、スリット７２を形成する開口端面にこの紙ケバが付着し、その厚さが次第に増加することなり、ときにカバーテープＣａの折り返し走行を妨げて剥離不良を招くことがあるが、これを極力防止することができる。
【００４３】
そして、古い収納テープＣの後端に新しい収納テープＣの先端を連結したこの新しい収納テープリールを前記カートに載置し、装填作業は終了する。この終了の後、電子部品装着装置の運転が再開すると、前述したように、所定の部品供給装置７のテープ送出装置３０を駆動させ、所定のチップ部品４を収納する収納テープＣを１回間欠送りさせる。このテープ送出装置３０が駆動すると、これと同期してカバーテープ巻取装置３１がカバーテープＣａを１回の間欠送り分の剥離（引き剥がし）をして巻き取る。続いてテープ送出装置３０及びカバーテープ巻取装置３１が停止すると、部品取出位置（吸着位置）にチップ部品４が送り込まれ、吸着ノズル１３による部品取出口７１を介してチップ部品４のピックアップが行われる（図１１参照）。
【００４４】
この場合、カバーテープＣａの剥離の際に、突部７３の出っ張りを吸収する溝９２を連結テープ９１に開設したので、剥離する際の支点を形成するスリット７２をカバーテープＣａが通過するときに、新しい部品収納テープＣと古い部品収納テープＣとを連結テープ９１で連結しても問題なく通過できる。
【００４５】
なお、図７に示すように、サプレッサ６０を上方へ回動させて収納テープＣを部品供給装置７に装填することもできる。
【００４６】
また、この電子部品装着装置として、いわゆる高速型チップマウンタ（ロータリテーブル型マウンタ）を例にして説明したが、これに限らず多機能チップマウンタ（ＸＹロボ型）に適用してもよい。
【００４７】
更には、収納テープ送りをモータ駆動（電動式）とした部品供給装置や、剥離したカバーテープを収納部に送り込む方式の部品供給装置にも本発明の係る部品収納テープを使用してもよい。
【００４８】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４９】
【図１】電子部品装着装置の平面図である。
【図２】待機状態の部品供給装置の側面図である。
【図３】図２の要部拡大図である。
【図４】サプレッサ及び閉じた状態のシャッターの平面図である。
【図５】テープ送り昇降レバーが下降した状態の部品供給装置の要部拡大図である。
【図６】サプレッサ及び開いた状態のシャッターの平面図である。
【図７】サプレッサを上方へ回動させた状態の部品供給装置の要部拡大図である。
【図８】図７のＡ−Ａ断面図である。
【図９】新しい収納テープと古い収納テープとを連結テープで連結した状態の斜視図である。
【図１０】新しい収納テープと古い収納テープとを連結テープで連結した状態の縦断面図である。
【図１１】部品供給装置のスリット近傍の縦断面図である。
【符号の説明】
【００５０】
７          部品供給装置
６０        サプレッサ
７０        シャッター
７２        スリット
７３        突部
９１        連結テープ
９２        溝
Ｃ          収納テープ
Ｃａ        カバーテープ
Ｃｂ        部品収納凹部
Ｃｃ        キャリアテープ
Ｃｄ        送り孔
【図１】
2006206058.tif 000003
【図２】
2006206058.tif 000004
【図３】
2006206058.tif 000005
【図４】
2006206058.tif 000006
【図５】
2006206058.tif 000007
【図６】
2006206058.tif 000008
【図７】
2006206058.tif 000009
【図８】
2006206058.tif 000010
【図９】
2006206058.tif 000011
【図１０】
2006206058.tif 000012
【図１１】
2006206058.tif 000013